(57)【要約】【課題】循環式穀物乾燥機の繰出バルブに対してシールを保持すものにおいて、異物噛み込みによる破損の防止を図る。【解決手段】繰出バルブ７の左右周面部と左右の穀物流下通路５，５の下端部との間に形成される左・右間隙６７，６７を閉鎖すべく繰出バルブ７に摺接対向するシール６９，６９をシール保持枠体に支持構成し、このシール保持枠体６８を機体前後方向に沿う軸心イ回りに回動可能に設け上記間隙を閉じる第１姿勢とこの間隙を開く第２姿勢とに切り替わる構成とし、該シール保持枠体６８と機体との間には第１姿勢に付勢する支点越えスプリング７６を設けている。【選択図】図１０
2005291614.tif 000002
【特許請求の範囲】
【請求項１】
穀粒乾燥機の乾燥室３内に通気性網体５ａ，５ａを左右に対向させて傾斜状の穀物流下通路５，５を形成し、該左右一対の穀物流下通路５，５を正面視Ｖ字型に形成すると共に下端の左右合流部下方には繰出バルブ７を設け、繰出バルブ７の左右周面部と左右の穀物流下通路５，５の下端部との間に形成される左・右間隙６７，６７を閉鎖すべく繰出バルブ７に摺接対向するシール６９，６９をシール保持枠体に支持して設け、このシール保持枠体６８を機体前後方向に沿う軸心イ回りに回動可能に設け上記間隙を閉じる第１姿勢とこの間隙を開く第２姿勢とに切り替わる構成とし、該シール保持枠体６８と機体との間には第１姿勢に付勢する支点越えスプリング７６を設けてなる穀粒乾燥機における繰出バルブのシール装置。
【請求項２】
穀粒乾燥機の乾燥室３内に通気性網体５ａ，５ａを左右に対向させて傾斜状の穀物流下通路５，５を形成し、該左右一対の穀物流下通路５，５を正面視Ｖ字型に形成すると共に下端の左右合流部下方には繰出バルブ７を設け、繰出バルブ７の左右周面部と左右の穀物流下通路５，５の下端部との間に形成される左・右間隙６７，６７を閉鎖すべく繰出バルブ７に摺接対向するシール６９，６９をシール保持枠体に支持して設け、このシール保持枠体６８を機体前後方向に沿う軸心イ回りに回動可能に設け上記間隙を閉じる第１姿勢とこの間隙を開く第２姿勢とに切り替わる構成とし、シール保持枠体６８が第１姿勢にないことを検出する位置検出手段を設け、該位置検出手段の検出結果に基づいて穀粒乾燥機への穀粒張込指令出力を停止する制御手段を備えたことを特徴とする穀粒乾燥機における繰出バルブのシール装置。
【発明の詳細な説明】
【技術分野】
【０００１】
この発明は、穀粒乾燥機の繰出バルブにおいて、繰出バルブとシール保持枠体との間へ異物を噛み込んでも容易に退避動できるシール装置に関する。
【背景技術】
【０００２】
循環式穀粒乾燥機における繰出バルブのシール構造として特許文献１がある。即ち、穀槽底部の一対に対向する傾斜流し板の突き合わされた下端部との間に形成されるスリット状の排出口に、周壁の一部に軸方向に沿うスリット状の開口を具備せしめたドラムシャッター（繰出バルブ）を、それの周壁の左右の側面が前記一対の傾斜流し板の各上面側の流穀路の下端を堰止めて前記排出口を塞ぐよう配位し、回転軸により正逆に交互に切換わって回転するよう軸架し、前記傾斜流し板の下端部位には、支持部材に支持せしめたゴム等の柔軟な資材よりなるシール部材を、前記傾斜流し板の下端部と前記ドラムシャッターの周壁外面とを密閉するよう配位して、機体に装架せしめてなる穀粒乾燥装置の排出口のシール装置において、前記各傾斜流し板の下端部とドラムシャッターの周壁外面との間には、穀粒が外部に流出する流出口となる広い間隔を形成し、前記柔軟な資材よりなるシール部材は、その広い間隔を埋めるよう幅広に形成し、そのシール部材を支持せしめる支持部材は、支持するシール部材が前記広い間隔を開閉するよう回動自在に、かつ、シール部材を支持したまま機外に取出せるよう取り外し自在に機体に装設したものである。
【０００３】
この特許文献１によると、ドラムシャッターが正逆に交互に切換わって回転し、かつ、そのドラムシャッターの左右の両側にそれぞれ傾斜流し板の下端部からドラムシャッター周壁の外面に向けて突出するようにシール部材を装設する際に、そのシール部材の上面に穀粒が停滞しがちにはなるが、損傷・噛み込みが生じない姿勢に装設しながら、穀粒の排出が迅速かつ確実に行えるとともにシール部材が摩耗したときの交換作業が楽に行えるようになるものである。
【特許文献１】実公平１−１４５８０号公報
【発明の開示】
【発明が解決しようとする課題】
【０００４】
前記特許文献１に示す従来の構成では、穀粒排出の迅速確実性、及びシール交換の目的でシールを支持する支持部材がシール部材が広い間隔を開閉するよう回動自在に構成したものであるが、この開閉動は人手によるほかなく、機械の運転を停止した状態で行うものであるから、穀粒中に混在する夾雑物が間隔部に噛み込んで周辺各部の破損を生じる恐れがある、
そこで、この発明は上記のような不具合を解消しようとするものである。
【課題を解決するための手段】
【０００５】
前記問題点を解決するために、この発明は次のような技術的手段を講じた。
【０００６】
請求項１に記載の発明は、穀粒乾燥機の乾燥室３内に通気性網体５ａ，５ａを左右に対向させて傾斜状の穀物流下通路５，５を形成し、該左右一対の穀物流下通路５，５を正面視Ｖ字型に形成すると共に下端の左右合流部下方には繰出バルブ７を設け、繰出バルブ７の左右周面部と左右の穀物流下通路５，５の下端部との間に形成される左・右間隙６７，６７を閉鎖すべく繰出バルブ７に摺接対向するシール６９，６９をシール保持枠体に支持して設け、このシール保持枠体６８を機体前後方向に沿う軸心イ回りに回動可能に設け上記間隙を閉じる第１姿勢とこの間隙を開く第２姿勢とに切り替わる構成とし、該シール保持枠体６８と機体との間には第１姿勢に付勢する支点越えスプリング７６を設けてなる穀粒乾燥機における繰出バルブのシール装置とする。
【０００７】
上記の構成によると、常時は第１姿勢に付勢されるシール保持枠体６８が所定に制止され、シール６９は繰出バルブ７の周面部に摺接するものであるから、間隙６７部からの穀粒溢出を防ぐ。また、この間隙67部に異物が入り込んできたときは、シール６９のみならずシール保持枠体６８に下向きの押圧力が作用し支点越えスプリング７６の付勢力に抗して該シール保持枠体６８を回動して第２姿勢に切り換わる。このため間隙６７が開放状態となって異物は停滞することなく下方へ排出される。
【０００８】
請求項２に記載の発明は、穀粒乾燥機の乾燥室３内に通気性網体５ａ，５ａを左右に対向させて傾斜状の穀物流下通路５，５を形成し、該左右一対の穀物流下通路５，５を正面視Ｖ字型に形成すると共に下端の左右合流部下方には繰出バルブ７を設け、繰出バルブ７の左右周面部と左右の穀物流下通路５，５の下端部との間に形成される左・右間隙６７，６７を閉鎖すべく繰出バルブ７に摺接対向するシール６９，６９をシール保持枠体に支持して設け、このシール保持枠体６８を機体前後方向に沿う軸心イ回りに回動可能に設け上記間隙を閉じる第１姿勢とこの間隙を開く第２姿勢とに切り替わる構成とし、シール保持枠体６８が第１姿勢にないことを検出する位置検出手段を設け、該位置検出手段の検出結果に基づいて穀粒乾燥機への穀粒張込指令出力を停止する制御手段を備えたことを特徴とする穀粒乾燥機における繰出バルブのシール装置の構成とする。
【０００９】
新たに穀粒張込のため、穀粒張込スイッチ操作を行い運転各部に駆動指令出力するが、前回の乾燥作業等において異物噛み込みによってシール保持枠体６８が所期の第１姿勢から切り換わっていると、位置検出手段は該シール保持枠体が第１姿勢にないことを検出出力し、張込作業に必要な運転各部又はその一部を起動出力しない。
【発明の効果】
【００１０】
請求項１に記載の発明は、常時は第１姿勢でシール６９が繰出バルブ７に接して間隙６７を閉鎖状態になすが、この間隙６７部に異物が入り込んできたときは、シール６９のみならずシール保持枠体６８に下向きの押圧力が作用し支点越えスプリング７６の付勢力に抗して該シール保持枠体６８を回動して第２姿勢に切り換わり、無理な押圧力が周辺部材に作用して破損するなどの恐れがない。
【００１１】
請求項２に記載の発明は、位置検出手段によって第１姿勢にないことを検出すると、穀粒張込作業に必要な運転各部又はその一部を起動出力しないから、不測に張込して間隙６７から溢出することを防止できる。
【発明を実施するための最良の形態】
【００１２】
シール保持枠体を第１姿勢と第２姿勢とに切り換わるようになし、異物の噛み込みには自動的に退避動するようになし、第２姿勢にあるときは不測に穀粒移動を行わせないようにして繰出バルブ周囲からの排出を防止する。
【実施例】
【００１３】
以下、図面に基づきこの発明の一実施例を説明する。
【００１４】
まず、この発明を具備する穀物乾燥機の全体構成について説明する。１は穀物乾燥機の機枠で、内部に貯溜タンク２、乾燥室３、集穀室４の順に積み重ねられている。乾燥室３内には、通気性網体５ａ，５ａを左右に対向させて傾斜状の穀物流下通路５，５を形成し、左右一対の穀物流下通路５，５を正面視Ｖ字型に形成している。各穀物流下通路５，５の上位側は更にＶ字型を形成するように左右の穀物流下通路５，５の内側を断面菱形の空間部とし、この空間部を熱風室６に形成している。なお、菱形断面の空間形成体のうち下半部は通気網体により構成し、Ｖ字型の上半部は非通気性の板材により構成している。
【００１５】
穀物流下通路５，５下端の左右合流部下方には繰出バルブ７を設けている。この繰出バルブ７は断面円形の筒体に構成されていて、正回転及び逆回転に伴って外周の一部に形成した導入口部から穀物を受入れて、正逆回転に従って下方の集穀室４に落下させる構成である。
【００１６】
乾燥室３内側の菱型空間部に形成した熱風室６内には、多角形の筒状に構成されていて乾燥室３正面側壁から後面側壁に亘る長さに形成された遠赤外線放射体１０を配置し、機壁前面及び後面に夫々着脱自在に固着している。この遠赤外線放射体１０の断面形状は、前記菱型空間部の断面形状に相似して対応するように上部の逆Ｖ字形状と下部のＶ字形状とを短い垂直部で連結する略６角形状に構成されていて、上部突端と下部突端とには前後に亘るスリット状の開口１１，１２を形成し、実質的には左半部と右半部とを所定間隙を隔てて対向配置するように構成している（図３参照）。なお、左・右半部の前・後壁への取り付けは、左・右半部の前側上部をまたぐ形状の係止具２６により前壁にボルト・ナットで取り付け、左・右半部の前側下部及び後側上・下部を独立的に設ける係止具２７，２７により前・後壁に夫々ボルト・ナットで着脱自在に固着している。
【００１７】
前記遠赤外線放射体１０の入口側には、乾燥機正面に配置するバーナ１３からの熱風を受け入れる構成である。即ち、例えば気化型バーナ１３を中心部に配置したバーナ風胴１４を機体前側壁に取り付け、このバーナ風胴１４と遠赤外線放射体１０の入口部とを連通している。
【００１８】
機体の背面側には、吸引ファン１５を設け、この吸引ファン１５の起風によって、菱形空間である熱風室６から穀物流下通路５，５を経て、穀物流下通路５，５の外側に形成される排風路１６，１６に向けて通風するように構成している。
【００１９】
集穀室４にはその中央に移送螺旋を備えた下部搬送装置２５を設け、繰出バルブ７から繰り出した穀粒を下部搬送装置２５で受けて例えば機体の正面側に移送する。機体の正面側には昇降機１７を設け、内部にバケット１７ａ，１７ａ…を備え、下部搬送装置２５からの穀粒を掬い上げて上部天井に設ける上部搬送装置３１の始端部に揚穀するように構成している。移送螺旋を備えた上部搬送装置３１の終端側の天井中央部には垂下軸３２を設け、この垂下軸３２に回転拡散板３３を取り付けている。
【００２０】
また、図６に示すように、バーナ風胴１４を囲うように外気導入スリット３６ａ，３６ａ…の形成された入口風胴３６を機壁正面に取り付け、この入口風胴３６の前面には乾燥機用コントローラ（制御部）４０を設けている。入口風胴３６の正面にはコントローラ４０操作盤４１を備えている。この操作盤４１には張込スイッチ４２、通風スイッチ４３、乾燥スイッチ４４、排出スイッチ４５、停止スイッチ４６を備え、これらのスイッチ群により各種の運転モードに切り替えると共に運転停止を司る。また、緊急スイッチ４７を設け、この緊急スイッチ４７を操作すると、機体運転部の全体を略同時に停止することができる。
【００２１】
これらのスイッチ４２〜４７の他に、張込量を設定する張込量設定スイッチ４８、最終仕上げ水分値を設定する水分設定スイッチ４９、及び、乾燥設定スイッチ５０（籾乾燥の場合には乾燥速度を速い・普通・遅いに設定し、また、他の穀粒乾燥の場合には、例えば小麦・大麦等の品種に関連付けて予め設定した乾燥速度に設定する）を備えている。更に、乾燥仕上がりを水分値によらないで処理時間により乾燥する等のためのタイマ増・減スイッチ５１，５２を備えている。
【００２２】
水分検出手段は一粒式の水分計５３を採用し、所定時間毎に所定粒数単位で水分値を測定し、所定回数の検出結果を平均処理して水分値を算出し、前記操作盤４１の表示部５４に検出熱風温度等と交代的に表示する構成である。制御部４０は併せて一粒水分値から水分のバラツキを判定したり、未熟粒の多少を判定できる構成とし、これらを３個のＬＥＤ５５，５６により表示している。
【００２３】
制御部４０には、操作盤４１のスイッチから乾燥情報等を入力するほか、各種センサから検出情報が入力され、前記気化型バーナ１３の燃料供給量を制御したり、穀粒の移送系手段を運転制御するように構成している。
【００２４】
次に、前記構成の作用について説明する。
【００２５】
張込ホッパ（図示省略）に投入された穀粒は、張込スイッチ４２をＯＮすることにより駆動される昇降機１７、上部搬送装置３２等を経由して貯溜タンク２に張り込まれる。穀粒の張込が完了すると、乾燥作業に移行するが、前段階で水分設定スイッチ４９及び乾燥設定スイッチ５０により穀粒種類の設定や希望の乾燥仕上げ水分値を設定する。
【００２６】
前記の設定操作の終了後に乾燥スイッチ４４をＯＮすると、昇降機１７、上・下搬送装置２５，３１、繰出バルブ７等の駆動が開始されると共に、バーナ１３も駆動されて熱風が乾燥室３の菱形空間である熱風室６の入口部に向けて供給される。
【００２７】
ここで、バーナの火炎は吸引ファン１５の回転により熱風化され、適宜に導入される外気と混合されながら遠赤外線放射体１０内に流入し、遠赤外線放射体１０を加熱しつつ上部及び下部に形成されているスリット状開口１１、１２を経て遠赤外線放射体１０の外に流出する。その際に遠赤外線放射体１０の加熱により遠赤外線放射体１０の表面から遠赤外線が放射されて、この熱放射及び前記熱風は共に流下通路５，５を流下中の穀粒に作用し、遠赤外線による輻射熱と熱風により穀粒内部での水分移行が促進され、熱風による水分除去作用に伴って効率的な乾燥作用が行なわれる。
【００２８】
穀物流下通路５，５の前後に亘って遠赤外線の放射と熱風による乾燥作用がなされ、穀物流下通路５，５を通過した熱風は排風室１６，１６を経て排風される。乾燥室３で乾燥された穀粒は、集穀室４の下部搬送装置２５、昇降機１７、上部移送螺旋３１を経由して再び貯溜タンク２に戻されて調質作用を受ける。このような行程を繰り返し、所定の水分値に達すると乾燥が終了するものである。
【００２９】
前記図３に示す実施例では、遠赤外線放射体１０の断面形状を穀類流下通路５，５の断面形状に略沿うように構成したので、遠赤外線放射体１０からの遠赤外線放射を流下穀粒に均等に作用させることができる。
【００３０】
また、前記図３に示す実施例では、遠赤外線放射体１０，１０を左右対称形状に構成し、熱風室６に上下に間隔を設けて配置することによりスリット状開口１１，１２を構成したので、上下面双方から熱風が流出し、遠赤外線放射体１０，１０の過熱を防止できる。
【００３１】
また、図５に示すように熱風室６に遠赤外線放射体１０を配置してもよい。即ち、遠赤外線放射体１０の後側部を蓋６１により閉鎖し、機枠１の後側壁６２に対して間隔を空けて金具により遠赤外線放射体１０を取り付ける。そして、遠赤外線放射体１０の後端部上方の左右に熱風温度センサ６３及び排風温度センサ６４を取り付ける。また、図６に示すように、蓋６１の左右両側に取付片６１ａ，６１ａをプレス加工により一体的に構成すると、部品点数を少なくしながら遠赤外線放射体１０に蓋６１を強固に取り付けることができる。
【００３２】
前記のように、遠赤外線放射体１０と後側壁６２との間に所定の間隔を設けたので、熱風室６の後側部の温度が部分的に高くなり過ぎることもなく、熱風温度センサ６３及び排風温度センサ６４の検出温度を適正化することができる。
【００３３】
また、図７に示すように、集穀室４部の後側壁６２の遠赤外線放射体１０の後側部の対応する部位の下方にスリット６５を設けてもよい。このように構成することにより、スリット６５からの外気吸入により熱風室６後端部の過度の温度上昇を防止し温度分布を均等化することができ、熱風温度センサ６３及び排風温度センサ６４により適正な温度検出をすることができる。
【００３４】
また、遠赤外線放射体１０を放熱鋼板により構成してもよい。耐熱鋼板等に遠赤外線放射塗料を塗装するものに比べて工程を省略し組付生産面でのコストの低減を図ることができる。
【００３５】
また、図８に示すように、遠赤外線放射体１０の下側部を閉鎖状態とし、上側部の前側部にのみ開口部６６を構成してもよい。バーナ１３に近い前側部にのみ開口部６６を設けることにより、遠赤外線放射体１０の前側部の温度が上昇し、熱風室６の前後の温度分布を均等化することができる。即ち、バーナに近い入口側は火炎の影響をそれほど受け得ず熱気が後側に流れる傾向にあって、熱風室入口側の温度が低い傾向となっており、これを解消するために上記開口部６６を設けて温度分布の均一化を図るものである。
【００３６】
また、図９に示すように、熱風室６の中心部に遠赤外線放射体１０を配置し、遠赤外線放射体１０の左右外周部と左右の穀物流下通路５，５との間隔を左右均等にしてもよい。このように構成することにより、吸入空気の熱風室６内での風速分布が均等化し安定した温度分布とすることができる。また、遠赤外線放射体１０の断面略６角形状の左・右上・中・下面部１０ａ，１０ａ、１０ｂ，１０ｂ、１０ｃ，１０ｃと左右の穀物流下通路５，５の上通路５ｂ，５ｂ・中通路５ｃ，５ｃ・下通路５ｄ，５ｄとを対向させることができ、熱風室６全体を輻射熱により均等に温めることができる。
【００３７】
次に、図１０〜図１２に基づき繰出バルブ７のシール構成について説明する。
【００３８】
左右の穀物流下通路５，５の下端合流部下方には、断面円筒状で正転及び逆転を繰り返しながら穀粒を繰り出す円筒状の繰出バルブ７を設け、この繰出バルブ７には穀物流下通路５，５の全幅に対応する穀粒繰出用の繰出開口部７ａを構成し、繰出バルブ７の左右周面部と左右の穀物流下通路５，５の下端部との間に左・右間隙６７，６７を構成している。
【００３９】
左右の穀物流下通路５，５の下端部下方で且つ繰出バルブ７の左右両側部位に断面凹状の左右のシール保持枠体６８，６８を配置している。即ち、断面Ｕ状に形成した外枠体６８ａと該外枠体６８ａに嵌合する内枠体６８ｂとを一体的に構成する。このシール保持枠体６８，６８の内側部、つまり該内枠体６８ｂの一隅部には繰出バルブ７に摺接対向するシール６９，６９を包持すべく包持体６９ａをもってボルト・ナットで着脱自在に固着している。すなわちシールはゴム製で基部側厚肉部６９ｂは包持体６９ａの嵌合凹部６９ｃに嵌合し、シールの先端側薄肉部６９ｄは繰出バルブ７の外周に摺接しうる。
【００４０】
上記シール保持枠体６８，６８の前後両端部にはブラケット７０ａ，７０ｂを取り付け、機枠１の前・後側壁７１ａ，７１ｂの支持孔７１´ａ，７１´ｂと前記ブラケット７０ａ，７０ｂの支持孔７０´ａ，７０´ｂに前後の支持軸７３ａ，７３ｂを挿通して、このシール保持枠体６８，６８を前・後側壁７１ａ，７１ｂに回動自在に軸支する。回動軸心（イ）について前側の支持軸７３ａにアーム７４を設け、このアーム７４を前側壁７１ａの外側に沿って回動可能に構成している。前後の支持軸７３ａ，７３ｂの一端部にはアーム７４をシール保持枠体６８と一体的に設け、このアーム７４の先端部と機枠の所定個所との間に支点越えスプリング７６を設ける。７７は該スプリング７６の引張り強さを調整するアジャストボルトである。このスプリング７６の弾性力によりシール保持枠体６８，６８が前記通気性網体５ａ，５ａの下端部に接して停止保持される第１姿勢の状態（図１１中実線）と、支点越えしてシール保持枠体６８，６８を反転する第２姿勢（図１１中仮想線）とに切換できる構成である。そして上記の第１姿勢ではシール６９，６９は繰出バルブ７外周面に接し、第２姿勢ではシール６９，６９は該外周面から離脱するものである。第１姿勢において異物の噛み込みによってシール保持枠体６８に負荷がかかるとスプリング７６が伸びて該シール保持枠体６８の軸回りの回転を許容し支点越えした該スプリング７６の引張力で第２姿勢に切り換わる構成である。なお、第２姿勢はスプリング７６の自由長で静止しうるものである。上記第２姿勢でアーム７４の動きによってオンするリミットスイッチ７８（位置検出手段）を設けて異物噛み込みを報知するなどの措置を講じるものである。
【００４１】
図１３は、このリミットスイッチ７８のオン出力によって張込作業を受け付けない構成とするものである。張込スイッチ４２をオンし張込作業に入るが（ステップ１０１）、前回乾燥作業において異物噛み込みしてシール保持枠体６８と繰出バルブ７との間に該異物が噛み込みされスプリング７６が支点越えしてシール保持枠体６８が退避動して第２姿勢の状態であったときは、リミットスイッチ７８をオンしている（ステップ１０２）。このオンによってブザーによる鳴動や警報ランプによって異常報知する（ステップ１０３）と共に、昇降機１７の駆動を停止出力する（ステップ１０４）ことによってシールの退避動（第２姿勢）から第１姿勢への復帰を促すと共に張込運転を受け付けない構成としている。なお、ステップ１０２でリミットスイッチ７８がオフで第１姿勢を確認しているときは、昇降機を駆動して張込運転できる構成である（ステップ１０５）。このように構成すると、シール保持枠体６８部に異物噛み込みして第２姿勢に切り換わることによって不測の破損を防止できると共に、張込作業中において張込穀粒を集穀室４部に異常堆積させる事態を防止できる。上例ではシール保持枠体６８の位置検出手段としてのリミットスイッチ７８は第２姿勢を検出する構成としたが、これを第１姿勢を検出できる構成としてもよく、第１第２いずれの姿勢も検出すべく夫々に配置してもよい。少なくとも第１姿勢にないことを検出しうる構成であればよいものである。したがって、シール保持枠体６８の位置検出手段が第１姿勢にないことを検出すると、張込スイッチ出力を受け付けず、昇降機等の穀粒張込移送手段の起動を禁止して穀粒張込みを行い得ないものとするため、シール６９が第１姿勢以外の位置にあっても不測に繰出バルブ７の外周側から排出されることがない。
【００４２】
また、上例のようにアジャストボルト７７でスプリングの引張力の調整を可能とすれば、個々の製作誤差を吸収しながら適正引張力でシール保持枠体６８を支持して異物噛み込みによる第２姿勢への退避動を円滑とさせる。
【００４３】
図１４は穀粒温度Ｔｇを熱風室温度Ｔｂおよび排風室温度Ｔｅによって表す際の改良に関する。熱風温度と排風温度との関係から、
穀粒温度Ｔｇ＝Ｋ×Ｔｂ＋（１−Ｋ）×Ｔｅ
で表される。ここで、Ｋは排風温度と熱風温度の配合率を表すもので、Ｋ＝（ｋ×ｔ）／Ｍである。ｋは排風と熱風の割合を決定する値、ｔは乾燥時間による係数、Ｍは張込量による係数である。従来排風温度と熱風温度とから単純に穀粒温度を算出していたため、乾燥初期の穀粒温度が上がっていない状態では算出穀粒温度Ｔｇ´と実質の穀粒温度ＴＧとの差が出るため、水分値へ穀粒温度を反映させるときには誤差が大きくなってしまう欠点があった。ところが、上記のように、排風温度Ｔｅや熱風温度Ｔｂの係数Ｋを、熱風や排風の割合ｋ、乾燥時間ｔ、張込量Ｍを加味したものとすることによってより正確な穀粒温度Ｔｇを算出することができる。
【００４４】
図１５，１６は、貯留タンク２を乾燥籾貯蔵に兼用させる構成に改良したものである。すなわち、穀粒乾燥機８４にダクト８０を巡らせ、この一端に熱風発生装置８１から熱風を導入可能に構成し、穀粒乾燥を行わせ穀粒間の水分移行の促進を図り、乾燥速度の促進を行うと共に、籾貯蔵時には該ダクト８０に所定の冷凍ユニット８２からの冷気を切換導入可能に構成する。このように構成すると、乾燥作業時には乾燥速度の促進を行い、籾貯蔵時には低温貯蔵を行うように切換られ低温貯蔵を可能にする。冷凍ユニット８２に接続するダクト８０は、該冷凍ユニット８２から出て横張込ホッパ８３背面に構成する風胴８３ａ一端に至る第１ダクト８０ａ、この風胴８３ａから図２における熱風室・排風室相当個所である空間部８４ａ・８４ｂ，８４ｂを縫って前記冷凍ユニット８２に還元する構成としている。８４ｃは穀粒流下通路、８４ｄは繰出バルブ、８４ｅは下部移送螺旋、８４ｆは昇降機であり、穀粒はこれらを順次移動して上部の貯留タンク８４ｇに還元移送される構成である。８４ｈは上記空間部８４ａ・８４ｂ，８４ｂに入る空気を穀粒流下通路８４ｃを経て吸引する吸引ファンである。
【００４５】
上記横張込ホッパ８３は、穀粒の漏下しない通気孔を形成した穀粒受部８３ｂの裏面に対応して風胴８３ａを設け、これら穀粒受部８３ｂ及び風胴８３ａは一体的に穀粒乾燥機８４の側面において開閉するよう構成している。この開いた位置では、前記冷凍ユニット８２から導入される冷気を第１ダクト８０ａを経由して導入し、上記通気孔から上方に抜ける冷気は張込穀粒に作用して蒸れ防止を図ることができる。また蓋（図示せず）で通気孔を塞いで穀粒乾燥機８４の側面を閉鎖する閉じ姿勢におくと、第１ダクト８０ａからの冷気は風胴８３ａを経由して略全量が第２ダクト８０ｂを経由して冷凍ユニット８２に還元され再度空気調整されてダクト８０循環に供される構成である（図１５，１６点線矢印）。
【００４６】
上記冷凍ユニット８２に代えて熱風発生装置８１を装着するときは、第２ダクト８０ｂを経て第１ダクト８０ａに至り熱風発生装置８１に還元される構成である。なお、熱風発生装置８１の具体例としては電気ヒータを採用するものである。なお、ダクト８０内を順・逆方向に冷気及び熱気を流通すべく、正逆に切り替わる通気用のファンをダクト８０に接続するようになっている。
【００４７】
上記のように構成すると、穀物乾燥にあたっては、熱風発生装置８１を第１、第２ダクト８０ａ，８０ｂに接続しておき、該熱風発生装置８１からの熱風は、図１５，１６の実線矢印のように流通して特に空間部８４ａ・８４ｂ，８４ｂにおいて熱輻射によって流下通路８４ｃの穀粒に作用して乾燥する構成である。熱輻射等によって昇温された熱風は吸引ファン８４ｈの作用により流下通路８４ｃを流通して排気される。
【００４８】
一方、上記熱風発生装置８１に代えて冷凍ユニット８２を接続し冷気を図の点線で示すように流通させる。乾燥前の穀粒を張り込むときは、横張込ホッパ８３を開きバラで投入するが、このとき通気孔から冷気が導入され、張込途中の穀粒に作用させることができる。また、乾燥済み穀粒を貯留タンク８４ｇに貯留しておくときは、横張込ホッパ８３を閉じることにより風胴８３ａと第２ダクトとが通じ、第２ダクト８０ｂに流通する冷気が乾燥機機体の穀粒に作用して所定に冷温維持し得て穀物品質の劣化を生じさせない。なお、ダクト８０ａ，８０ｂには通気孔を形成して冷気や熱風を空間部８４ａ・８４ｂ，８４ｂに排出させる構成とすれば効果的である。
【００４９】
なお、上記の籾貯蔵時における場合には乾燥機各部に配設した通気孔の開口を塞ぐ構成とすれば効果的である。
【００５０】
次に図１７に基づき警報制御システムの構成について説明する。
【００５１】
穀粒乾燥機８９を設置する倉庫９０の入口ドア９１に開閉状態を検知する開閉センサ９２を設け、この開閉センサ９２を穀粒乾燥機８９のセンサ群、例えば熱風温度センサ・排風温度センサ等に直列又は並列に接続している。開閉センサ９２の作動出力は乾燥機８９のコントローラ（制御部）９３に入力され、該制御部９３は倉庫９０のドアの開放を検出する構成である。制御部９３には、パトライト９４や乾燥機８９に付設の警報ブザー（図示せず）等に警報出力する構成としている。このように構成すると、乾燥機８９の制御部９３に倉庫８９の盗難防止システムが備えられ、各別な開閉センサ９２の検出に伴うコントローラや警報ブザー等を不要とするので、安価に構成できる。
【００５２】
次いで水分計５３について説明する。
【００５３】
前記昇降機１７の途中部に水分計５３のホッパ９５をのぞませ、該ホッパ９５の排出口を搬送板９６と外周に螺旋条を形成した繰出ロール９７とからなる１粒繰出部９８の始端側にのぞませる。１粒繰出部９８の移送終端部下方には一対の電極ロール９９，９９を設ける。電極ロール９９，９９間の電気的抵抗値Ｅｒを読み取る構成とし、所定粒数（例えば１００粒）の測定毎に所定の換算式Ｍ＝ｆ（Ｅｒ）に基づいて実行されるように構成している。そしてその複数粒の平均値をもって今回の測定値として採用され表示出力あるいは乾燥制御に用いられる。
【００５４】
ところで、穀粒乾燥は乾燥処理によってその表面部と中心部との水分差が生じ、例えば遠赤外線乾燥のように表面部への輻射熱照射作用を伴うときは水分差が著しく、このまま水分計５３部に供給されて電気抵抗式水分測定が行われると、水分値は低く測定されることとなる。すなわち、表面部が急速に乾燥されるときは、内部水分との差が著しく、水分計５３に供給される際にも水分移行が十分なされないまま供給される。穀粒温度ＴＧは水分換算の際に考慮されて穀粒温度による補正を伴うのが水分検出精度上で常套であるが、この穀粒温度ＴＧについては、上記のように穀粒中心部と表面部との水分差は穀粒温度ＴＧの算出精度を悪くさせる。標準の乾燥による穀粒温度に対して表面部の温度が高い傾向となるから、乾燥処理として高速乾燥か標準乾燥か、あるいは低速乾燥かによって区分し穀粒温度の検出の差に伴う算出水分値を補正処理しようとするものである。図２０に基づいて説明する。水分測定開始信号が出力されると（ステップ２０１）、電極ロール電圧Ｅｒが検出される（同２０２）。ここで穀粒温度ＴＧが例えば熱風温度と排風温度とによって算出される（直接穀粒温度検出手段を用いてもよい）（同２０３）。次いで水分換算式Ｍ＝ｆ（Ｅｒ，ＴＧ）に基づき、水分値が算出されるが（同２０４）、予め設定可能な乾燥速度モードを確認し（同２０５，２０６）、標準モードのときは所定粒数の平均をもって表示出力し（同２０７）、高速モードのときは算出水分値Ｍに＋α値を加え（同２０８）、上記の表面水分の影響を加味した補正を行い水分値Ｍ´を算出するものである。なお、低速モードを備えるときは、逆に−βによって水分値Ｍ”を補正する（同２０９）。
【００５５】
図２１に示す例は、上記ステップ２０８のα値を実際運転中の乾燥速度に応じて変更しておくもので、実際運転中の乾燥速度を測定し、所定以上（例えば１．０％／時以上）であるときは（ステップ３０６）、予め設定した乾燥速度−水分値補正値関係表等に基づいて補正処理するように構成したものである（ステップ３０７）。このように構成すると、極め細かい補正処理が可能となる。
【００５６】
図２２は単粒水分測定に伴って偏差を求め、その偏差が所定値以上の場合に（ステップ４０４）、水分表示のみならず、当該偏差を共に表示しようとする（同４０５）。オペレータは偏差と水分との両者の関係から適正な乾燥処理モードを選択したり、停止水分を設定することができて便利である。
【図面の簡単な説明】
【００５７】
【図１】全体の切断側面図。
【図２】全体の一部切断した正面図。
【図３】遠赤外線放射体一例の斜視図。
【図４】操作盤の正面図。
【図５】遠赤外線放射体の側面図。
【図６】蓋部の側面図、背面図、平面図。
【図７】集穀部の背面図。
【図８】遠赤外線放射体の側面図。
【図９】要部の正面概要図。
【図１０】繰出バルブ及びそのシール部の正断面図。
【図１１】繰出バルブシール部の拡大正面図。
【図１２】シール保持枠体の平断面図。
【図１３】フローチャート。
【図１４】熱風、排風温度及び穀粒温度の変化グラフ。
【図１５】異なる穀粒乾燥機を示す正断面図。
【図１６】その平断面図。
【図１７】警報システム一例を示す概要図。
【図１８】水分計の側断面図。
【図１９】水分計付き昇降機の平面図。
【図２０】フローチャート。
【図２１】フローチャート。
【図２２】フローチャート。
【符号の説明】
【００５８】
１    穀物乾燥機の機枠
２    貯溜タンク
３    乾燥室
４    集穀室
５    穀物流下通路
６    熱風室
７    繰出バルブ７
７ａ  繰出開口部
６７      間隙
６８      シール保持枠体
６９      シール
７６      支点越えスプリング
７８      リミットスイッチ（位置検出手段）
【図１】
2005291614.tif 000003
【図２】
2005291614.tif 000004
【図３】
2005291614.tif 000005
【図４】
2005291614.tif 000006
【図５】
2005291614.tif 000007
【図６】
2005291614.tif 000008
【図７】
2005291614.tif 000009
【図８】
2005291614.tif 000010
【図９】
2005291614.tif 000011
【図１０】
2005291614.tif 000012
【図１１】
2005291614.tif 000013
【図１２】
2005291614.tif 000014
【図１３】
2005291614.tif 000015
【図１４】
2005291614.tif 000016
【図１５】
2005291614.tif 000017
【図１６】
2005291614.tif 000018
【図１７】
2005291614.tif 000019
【図１８】
2005291614.tif 000020
【図１９】
2005291614.tif 000021
【図２０】
2005291614.tif 000022
【図２１】
2005291614.tif 000023
【図２２】
2005291614.tif 000024